(57)【要約】      （修正有）【課題】汎用性に優れたチェーン送り工具を提供する。【解決手段】チェーン送り工具１２は、弾性変形によってチェーンを挟みうる一対の回転ディスク２６と、回転ディスク２６が連結されたシャフト２８と、シャフト２８を回転させるドライブ１４とを備える。ドライブ１４は、シャフト２８が着脱可能なチャック２２を備え、シャフト２８の半径方向に延びる第二把手２０を更に備える。【選択図】図１
0003229135.tif 000002
【実用新案登録請求の範囲】
【請求項１】
弾性変形によってチェーンを挟みうる一対の回転ディスク
及び
前記回転ディスクが連結されたシャフト
を備えた、チェーン送り工具のアタッチメント。
【請求項２】
前記一対の回転ディスクが間隔を空けて配置されており、
前記間隔が、前記回転ディスクの外周側部において、半径方向外向きに漸増している、請求項１に記載のチェーン送り工具のアタッチメント。
【請求項３】
前記間隔を変更する間隔調整具を更に備える、請求項２に記載のチェーン送り工具のアタッチメント。
【請求項４】
弾性変形によってチェーンを挟みうる一対の回転ディスク、
前記回転ディスクが連結されたシャフト
及び
前記シャフトを回転させるドライブ
を備える、チェーン送り工具。
【請求項５】
前記ドライブが、前記シャフトが着脱可能なチャックを備える、請求項４に記載のチェーン送り工具。
【請求項６】
前記回転ディスクの半径方向外端より前記回転軸の半径方向外側に延びる把手を更に備える、請求項４又は５に記載のチェーン送り工具。
【考案の詳細な説明】
【技術分野】
【０００１】
本考案は、チェーン送り工具に関する。
【背景技術】
【０００２】
特許文献１（特開平５−２４８１５８公報）には、停電や火災発生等の非常時に、シャッターを開放するための、非常用開閉装置が開示されている。
【０００３】
図５には、手動の非常用開閉装置を備えるシャッター２が示されている。このシャッター２は、手動で開閉するためのチェーン４を備える。このシャッター２では、通常時には、このチェーン４は、シャッターケース６に収容されている。非常時には、チェーン４は、シャッターケース６から垂れ下げられる。このチェーン４を送ることで、手動でシャッター２は開閉されうる。
【先行技術文献】
【特許文献】
【０００４】
【特許文献１】特開平５−２４８１５８公報
【考案の概要】
【考案が解決しようとする課題】
【０００５】
シャッター２の点検作業では、このチェーン４で、シャッター２の開閉がされる。チェーン４を手動で送る作業では、点検者の負担が大きい。特に、大型商業施設等の大型建物では、シャッター２のサイズも大きく、点検者の負担が大きい。この負担の軽減のため、電動工具等を用いることが考えられる。例えば、電動工具にチェーン４の形状に対応する凹凸形状を有するアタッチメントを装着して、チェーン４を送ることが考えられる。
【０００６】
しかしながら、チェーン４の形状や大きさは、様々である。それぞれの形状や大きさに対応するためには、様々な凹凸形状を備える多くのアタッチメントを準備する必要がある。また、多くのアタッチメントから、チェーン４に適合するアタッチメントを選定する必要がある。
【０００７】
本考案の目的は、汎用性に優れたチェーン送り工具の提供にある。
【課題を解決するための手段】
【０００８】
本考案に係るチェーン送り工具のアタッチメントは、
弾性変形によってチェーンを挟みうる一対の回転ディスク
及び
前記回転ディスクが連結されたシャフト
を備える。
【０００９】
好ましくは、前記一対の回転ディスクは、間隔を空けて配置されている。前記間隔は、前記回転ディスクの外周側部において、半径方向外向きに漸増している。
【００１０】
好ましくは、このアタッチメントは、前記間隔を変更する間隔調整具を更に備える。
【００１１】
本考案に係るチェーン送り工具は、
弾性変形によってチェーンを挟みうる一対の回転ディスク、
前記回転ディスクが連結されたシャフト
及び
前記シャフトを回転させるドライブ
を備える。
【００１２】
好ましくは、前記ドライブは、前記シャフトが着脱可能なチャックを備える。
【００１３】
好ましくは、このチェーン送り工具は、前記回転ディスクの半径方向外端より前記回転軸の半径方向外側に延びる把手を更に備える。
【考案の効果】
【００１４】
本考案に係るチェーン送り工具は、弾性変形によってチェーンを挟みうる一対の回転ディスクを備える。この回転ディスクは、チェーンの形状に対応して弾性変形する。このチェーン送り工具は、形状や大きさの異なる種々のチェーンに使用できる。このチェーン送り工具は、汎用性に優れている。
【図面の簡単な説明】
【００１５】
【図１】図１は、本考案の一実施形態に係るチェーン送りアタッチメントが装着されたチェーン送り工具が示された概略図である。
【図２】図２は、図１のチェーン送りアタッチメントの断面図である。
【図３】図３は、図１のチェーン送りアタッチメントの使用状態が示された説明図である。
【図４】図４は、図３の線分IV−IVに沿った断面図である。
【図５】図５は、手動で開閉するためのチェーンを備えるシャッターが示された概略図である。
【考案を実施するための形態】
【００１６】
以下、適宜図面が参照されつつ、好ましい実施形態に基づいて本考案が詳細に説明される。
【００１７】
図１のチェーン送り工具１２は、ドライブ１４、アタッチメント１６、第一把手１８及び第二把手２０を備える。図１の矢印Ｘはチェーン送り工具１２の前後方向前向きを表し、矢印Ｙは左右方向左向きを表し、矢印Ｚは上下方向上向きを表す。
【００１８】
ドライブ１４は、アタッチメント１６を着脱可能に装着されるチャック２２を備える。チャック２２は、装着されたアタッチメント１６と共に回転可能である。このドライブ１４は、チャック２２を回転させる図示されないモータと、このモータを収容するケース２４とを、更に備える。
【００１９】
第一把手１８は、ケース２４の後方に配置されている。第一把手１８はケース２４からの後方に延びる接続部１８Ａと接続部１８Ａから下方に延びる把持部１８Ｂとを備える。この把持部１８Ｂが手で握られて、チェーン送り工具１２が支持されうる。この第一把手１８の配置位置は、チェーン送り工具１２が支持可能であればよく、特に限定されない。この第一把手１８は、ケース２４の上下に配置されてもよいし、左右に配置されてもよい。
【００２０】
第二把手２０は、ケース２４の左方に配置されている。第二把手２０はケース２４からの左方に延びる接続部２０Ａと接続部２０Ａから更に左方に延びる把持部２０Ｂとを備える。この把持部２０Ｂが手で握られて、チェーン送り工具１２に作用する回転力が支持されうる。この第二把手２０の配置位置は、チェーン送り工具１２に作用する回転力が支持可能であればよく、特に限定されない。この第二把手２０は、ケース２４の上下に配置されてもよいし、右に配置されてもよい。
【００２１】
図１のＬ１は、アタッチメント１６の回転軸を表している。両矢印Ｄは、回転軸Ｌ１から第二把手２０の半径方向外端までの距離を表している。このチェーン送り工具１２では、半径方向において、第二把手２０の外端は、アタッチメント１６の外端より外側に位置している。
【００２２】
図２に示される様に、アタッチメント１６は、一対の回転ディスク２６、シャフト２８、間隔調整具としてのスペーサ３０、取付具としてのナット３２Ａ及びナット３２Ｂを備える。
【００２３】
それぞれの回転ディスク２６は、ディスク本体３４及び補強体３６を備える。ディスク本体３４は、弾性変形可能な材料からなる。ディスク本体３４は、例えばゴムからなる。ディスク本体３４の形状は、円盤状である。ディスク本体３４の形状は回転可能な盤形状であればよく、正面形状は円形に限定されず、多角形であってもよい。
【００２４】
補強体３６は、ディスク本体３４に埋め込まれている。補強体３６は、ディスク本体３４より剛性が高い材料からなる。補強体３６は、例えば鋼等の金属からなる。補強体３６は、シャフト２８が通される孔３６Ａを備える。図示されないが、孔３６Ａには、シャフト２８の回り止めが形成されている。この回り止めは特に限定されないが、例えば、シャフト２８の外周面に形成された平面と係合する平面が形成されている。なお、回転ディスク２６は、補強体３６を備えなくてもよい。例えば、回転ディスク２６の全体が、ディスク本体３４からなってもよい。この場合、回転ディスク２６が、シャフト２８に回り止めされる。
【００２５】
シャフト２８は、前方の先端部に雄ネジ２８Ａが形成されている。図示されないが、シャフト２８は、チャック２２の装着部に回り止めが形成されている。この回り止めは特に限定されないが、例えば、チャック２２と係合する平面が形成されている。
【００２６】
スペーサ３０は、一対の回転ディスク２６の間に配置されている。スペーサ３０は、シャフト２８が通される孔３０Ａを備える。スペーサ３０は、一対の回転ディスク２６の間に配置されている。図示されないが、スペーサ３０の孔３０Ａは切り欠きが形成され、シャフト２８の半径方向に着脱可能にされてもよい。
【００２７】
ナット３２Ａ及びナット３２Ｂは、シャフト２８の雄ネジ２８Ａに螺合されている。ナット３２Ａ及びナット３２Ｂは、一対の回転ディスク２６及びスペーサ３０を挟み込んでいる。このナット３２Ａ及びナット３２Ｂは、一対の回転ディスク２６をシャフト２８に着脱可能に取り付けている。アタッチメント１６が備える取付具は、一対の回転ディスク２６をシャフト２８に着脱可能に取り付け可能であればよく、ナット３２Ａ及びナット３２Ｂに限定されない。
【００２８】
図２の両矢印Ｒは回転ディスク２６の半径を表している。両矢印Ｓは、一対の回転ディスク２６の間隔を表している。この間隔Ｓは、スペーサ３０の厚さを変えたり、スペーサ３０の枚数を変えたりすることで、変更可能である。
【００２９】
図２の両矢印Ａ１は、回転ディスク２６の内周側部を表している。両矢印Ａ２は、回転ディスク２６の内周外側部を表している。両矢印Ａ３は、回転ディスク２６の中間部を表している。両矢印Ａ４は、回転ディスク２６の外周側部を表している。
【００３０】
この一対の回転ディスク２６では、内周側部Ａ１より中間部Ａ３で、間隔Ｓが広くなっている。回転ディスク２６の内周外側部Ａ２では、間隔Ｓは、半径方向外向きに漸増している。中間部Ａ３より外周側部Ａ４で、間隔Ｓが広くなっている。外周側部Ａ４では、間隔Ｓは、漸増している。この隙間Ｓは、例示であって、これに限定されない。
【００３１】
図３には、回転ディスク２６と共に、図５に示されたシャッター２のチェーン４が示されている。図４は、図３の線分IV−IVに沿った断面が示されている。図３及び図４では、一対の回転ディスク２６がチェーン４を挟んでいる。図４に示される様に、回転ディスク２６は、チェーン４の形状に対応して、弾性変形している。
【００３２】
このアタッチメント１６は、弾性変形によってチェーン４を挟みうる一対の回転ディスク２６を備える。このアタッチメント１６は、種々の構造、形状及び大きさのチェーン４を挟みうる。このアタッチメント１６は、種々のチェーン４に使用できる。このアタッチメント１６は、汎用性に優れている。
【００３３】
一対の回転ディスク２６が間隔Ｓを空けて配置されている。間隔Ｓは、回転ディスク２６の外周側部Ａ４において、半径方向外向きに漸増している。これにより、このアタッチメント１６は、チェーン４を挟み込むことが容易になっている。この観点から、間隔Ｓは、回転ディスク２６の外周側部Ａ４において、半径方向外向きに漸増することが好ましい。この観点では、この隙間Ｓは、内周側部Ａ１から外周側部Ａ４に向かって漸増してもよい。
【００３４】
このアタッチメント１６では、間隔Ｓが中間部Ａ３で一定にされている。この中間部Ａ３でチェーン４を挟むことで、一対の回転ディスク２６がより確実にチェーン４を挟み込む。この観点から、アタッチメント１６は、間隔Ｓが一定にされた中間部３Ａを備えることが好ましい。
【００３５】
このアタッチメント１６は、間隔調整具としてのスペーサ３０を備える。これにより、このアタッチメント１６は、更に大きさの異なる種々のチェーン４に使用できる。このアタッチメント１６は、更に汎用性に優れている。この観点から、アタッチメント１６は、スペーサ３０を備えることが好ましい。なお、本考案に係る間隔調整具は一対の回転ディスク２６の間隔を調整可能であればよく、このスペーサ３０に限定されない。
【００３６】
なお、アタッチメント１６は、間隔Ｓを開けて一対の回転ディスク２６が配置されたが、これに限られない。一対の回転ディスク２６は、間隔Ｓを空けずに配置されてもよい。間隔Ｓを開けなくとも、回転ディスク２６は、弾性変形することで、種々のチェーン４を挟み込めうる。
【００３７】
このドライブ１４は、アタッチメント１６を回転可能であればよく、特に限定されない。このドライブ１４として、電動ドリル等の電動工具が用いられてよい。
【００３８】
このドライブ１４は、シャフト２８が着脱可能なチャック２２を備える。これにより、アタッチメント１６は、着脱可能にされている。これにより、ドライブ１４は、大きさや形状の異なる種々のアタッチメント１６を装着しうる。また、ドライブ１４は、ドリルやドライバーなどの他のアタッチメントを装着しうる。チャック２２を備えるドライブ１４は、汎用性に更に優れる。
【００３９】
このチェーン送り工具１２は、シャフト２８の半径方向に延びる第二把手２０を備える。これにより、チェーン４を送る回転力が作用するチェーン送り工具１２の支持が容易にされている。この観点から、回転ディスク２６の半径方向外端よりシャフト２８の半径方向外側に延びる第二把手２０を備えることが、好ましい。
【００４０】
この観点から、第二把手２０の半径方向外端までの距離Ｄは、回転ディスク２６の半径Ｒより大きいことが好ましく、半径Ｒの１．５倍以上であることが更に好ましく、半径Ｒの２．０倍以上であることが特に好ましい。なお、回転ディスク２６の正面形状が円形でなく多角形である場合には、半径Ｒに代えて、回転中心から回転ディスク２６の半径方向外端までの距離が用いられる。
【００４１】
ここでは、シャッター２のチェーン４を例に説明がされたが、このチェーン送り工具１２は、チェーン４の送りに用いられればよく、シャッター２の開閉用に限定されない。
【産業上の利用可能性】
【００４２】
以上説明されたチェーン送り工具及びアタッチメントは、チェーン送りに広く適用されうる。
【符号の説明】
【００４３】
１２・・・チェーン送り工具
１４・・・ドライブ
１６・・・アタッチメント
２０・・・第二把手
２２・・・チャック
２６・・・回転ディスク
２８・・・シャフト
３０・・・スペーサ（間隔調整具）
【図１】
0003229135.tif 000003
【図２】
0003229135.tif 000004
【図３】
0003229135.tif 000005
【図４】
0003229135.tif 000006
【図５】
0003229135.tif 000007
【手続補正書】
【提出日】令和2年8月21日(2020.8.21)
【手続補正１】
【補正対象書類名】実用新案登録請求の範囲
【補正対象項目名】全文
【補正方法】変更
【補正の内容】
【実用新案登録請求の範囲】
【請求項１】
弾性変形によってチェーンを挟みうる一対の回転ディスク
及び
前記回転ディスクが連結されたシャフト
を備えた、チェーン送り工具のアタッチメント。
【請求項２】
前記一対の回転ディスクが間隔を空けて配置されており、
前記間隔が、前記回転ディスクの外周側部において、半径方向外向きに漸増している、請求項１に記載のチェーン送り工具のアタッチメント。
【請求項３】
前記間隔を変更する間隔調整具を更に備える、請求項２に記載のチェーン送り工具のアタッチメント。
【請求項４】
弾性変形によってチェーンを挟みうる一対の回転ディスク、
前記回転ディスクが連結されたシャフト
及び
前記シャフトを回転させるドライブ
を備える、チェーン送り工具。
【請求項５】
前記ドライブが、前記シャフトが着脱可能なチャックを備える、請求項４に記載のチェーン送り工具。
【請求項６】
前記回転ディスクの半径方向外端より前記シャフトの半径方向外側に延びる把手を更に備える、請求項４又は５に記載のチェーン送り工具。